(57)【要約】【課題】需要家が受けるストレスを低減しつつ、節電を行うことのできる機器制御装置を提供する。【解決手段】機器に、当該機器の動作に関連する設定値を設定し、当該機器を制御する機器制御装置であって、機器に設定されている第１設定値を取得する設定済設定値取得部と、電力削減要請時に、機器に第１設定値を設定した場合に比べて機器の消費電力が大きくなる第２設定値を、機器の設定値として端末装置に提供する設定値提供部と、を備える。【選択図】図２
2019062498.tif 000002
【特許請求の範囲】
【請求項１】
機器に、当該機器の動作に関連する設定値を設定し、当該機器を制御する機器制御装置であって、
前記機器に設定されている第１設定値を取得する設定済設定値取得部と、
電力削減要請時に、前記機器に前記第１設定値を設定した場合に比べて前記機器の消費電力が大きくなる第２設定値を、前記機器の設定値として端末装置に提供する設定値提供部と、を備える機器制御装置。
【請求項２】
前記機器制御装置は、さらに、
前記機器への設定対象の設定値として第３設定値を取得する設定対象設定値取得部と、
前記電力削減要請時に、前記設定対象設定値取得部が取得した前記第３設定値に代えて、前記機器に前記第３設定値を設定した場合に比べて前記機器の消費電力が小さくなる第４設定値を、前記機器に設定する設定値設定部と、を備え、
前記設定済設定値取得部は、前記第１設定値として前記第４設定値を取得し、
前記設定値提供部は、前記第２設定値として前記第３設定値を提供する、請求項１に記載の機器制御装置。
【請求項３】
前記電力削減要請は、第１段階の電力削減要請と、前記第１段階の電力削減要請よりもより多くの電力の削減を要請する第２段階の電力削減要請とを含み、
前記設定値設定部は、前記第２段階の電力削減要請時には、前記第１段階の電力削減要請時に比べて、より前記機器の消費電力が小さくなる前記第４設定値を、前記機器に設定する、請求項２に記載の機器制御装置。
【請求項４】
前記設定値設定部は、予め設定された設定値閾値を超えない範囲で前記第４設定値を、前記機器に設定する、請求項２または請求項３に記載の機器制御装置。
【請求項５】
前記設定値設定部は、前記電力削減要請時に、当該設定値設定部による前記機器への設定値の自動的な設定が許可されている場合には、前記機器に前記設定済設定値取得部が取得した前記第１設定値を設定した場合に比べて前記機器の消費電力が小さくなる前記第４設定値を、前記機器に設定する、請求項２〜４のいずれか１項に記載の機器制御装置。
【請求項６】
前記設定済設定値取得部は、前記機器から、前記機器に設定した前記第１設定値を取得する、請求項１〜請求項５のいずれか１項に記載の機器制御装置。
【請求項７】
前記機器は、エアコンであり、
前記設定値は、前記エアコンの設定温度であり、
前記第２設定値は、前記エアコンの冷房運転時には前記第１設定値に比べて低い設定温度であり、前記エアコンの暖房運転時には前記第１設定値に比べて高い設定温度である、請求項１〜請求項６のいずれか１項に記載の機器制御装置。
【請求項８】
前記機器は、照明機器であり、
前記設定値は、照明の明るさを示す値であり、
前記第２設定値は、前記第１設定値に比べて明るい照明の明るさを示す値である、請求項１〜請求項６のいずれか１項に記載の機器制御装置。
【請求項９】
機器に、当該機器の動作に関連する設定値を設定し、当該機器を制御する機器制御装置と、
当該機器の設定値を表示する端末装置とを備え、
前記機器制御装置は、
前記機器に設定した第１設定値を取得する設定済設定値取得部と、
電力削減要請時に、前記機器に前記第１設定値を設定した場合に比べて前記機器の消費電力が大きくなる第２設定値を、前記機器の設定値として前記端末装置に提供する設定値提供部と、を有し、
前記端末装置は、前記機器制御装置から提供された前記第２設定値を画面に表示する表示制御部を有する、機器制御システム。
【請求項１０】
機器に、当該機器の動作に関連する設定値を設定し、当該機器を制御する機器制御装置による機器制御方法であって、
設定済設定値取得部が、前記機器に設定されている第１設定値を取得し、
設定値提供部が、電力削減要請時に、前記機器に前記第１設定値を設定した場合に比べて前記機器の消費電力が大きくなる第２設定値を、前記機器の設定値として端末装置に提供する、機器制御方法。
【請求項１１】
機器に、当該機器の動作に関連する設定値を設定し、当該機器を制御する機器制御装置として、コンピュータを機能させるためのコンピュータプログラムであって、
前記コンピュータを、
前記機器に設定されている第１設定値を取得する設定済設定値取得部と、
電力削減要請時に、前記機器に前記第１設定値を設定した場合に比べて前記機器の消費電力が大きくなる第２設定値を、前記機器の設定値として端末装置に提供する設定値提供部と、して機能させるためのコンピュータプログラム。
【発明の詳細な説明】
【技術分野】
【０００１】
本発明は、機器制御装置、機器制御システム、機器制御方法、およびコンピュータプログラムに関する。
【背景技術】
【０００２】
夏の日中などの電力逼迫時には、アグリゲータを介して電力会社から需要家に対して、デマンドレスポンス（以下、「ＤＲ」という。）などの電力削減要請が行われる。
【０００３】
例えば、電力逼迫時に、需要家に設置されたＨＥＭＳが、電力削減要請を受け、当該要請に応じて自動で電力機器を節電動作させることが行われる。ＨＥＭＳは、例えば、冷房運転中のエアーコンディショナー（以下、「エアコン」という。）の設定温度を上昇させることにより、エアコンを節電動作させる。これにより、需要家による電力削減要請への協力が行われる。
【０００４】
一方で、一般的な赤外線のリモコンではなく、ＨＥＭＳと通信することで家電の状態を取得し、当該状態を画面上に反映するリモコンも知られている（例えば、特許文献１参照）。このようなリモコンとして、例えば、スマートフォンなどの端末装置を利用することができる。電力逼迫前に需要家が端末装置を操作して温度設定を行ったとしても、上記のように、電力逼迫時にＨＥＭＳがエアコンの温度を自動的に上昇させた場合には、電力逼迫前に端末装置に表示される温度と電力逼迫後に表示される温度とに違いが生じることとなる。つまり、需要家が設定した温度とは異なる設定温度が端末装置に表示されることになる。
【先行技術文献】
【特許文献】
【０００５】
【特許文献１】特開２０１７−１３４４４８号公報
【発明の概要】
【発明が解決しようとする課題】
【０００６】
このように需要家の設定温度とは異なる設定温度が表示された場合、需要家に対して以下の（ａ）〜（ｃ）に示すような不都合が生じる可能性がある。
【０００７】
（ａ）電力逼迫のためＨＥＭＳが自動で設定温度を上げたことを需要家が理解している場合：
需要家は、いつもより高い温度設定がなされていることにストレスを感じる可能性がある。
【０００８】
（ｂ）需要家が電力逼迫には気付いたが、ＨＥＭＳが自動で設定温度を上げたことを理解していない場合：
ただでさえ上昇している設定温度に対して、さらに設定温度を上げる必要に迫られているプレッシャーからくる、ストレスを感じる可能性がある。
【０００９】
（ｃ）需要家が電力逼迫にもＨＥＭＳが自動で設定温度を上げたことも理解していない場合：
需要家は、電力逼迫前に設定した温度や、通常設定している温度に、設定温度を戻す可能性がある。
【００１０】
このように夏の電力逼迫時にＨＥＭＳがエアコンの設定温度を上げた場合には、需要家は何らかのストレスを感じたり、設定温度を勝手に下げたりしてしまうという課題がある。需要家が設定温度を勝手に下げてしまうと、電力削減要請に応じることができなくなってしまう。
【００１１】
なお、ＨＥＭＳが他の電力機器の設定を変更する場合にも、同様の課題が生じる。例えば、ＨＥＭＳが照明機器による照明の明るさの設定値を自動で下げた場合にも、需要家は同様のストレスを感じたり、明るさの設定値を勝手に上げたりしてしまうという課題がある。
【００１２】
本発明は、このような事情に鑑みてなされたものであり、需要家が受けるストレスを低減しつつ、節電を行うことのできる機器制御装置、機器制御システム、機器制御方法、およびコンピュータプログラムを提供することを目的とする。
【課題を解決するための手段】
【００１３】
（１）上記目的を達成するために、本発明の一実施態様に係る機器制御装置は、機器に、当該機器の動作に関連する設定値を設定し、当該機器を制御する機器制御装置であって、前記機器に設定されている第１設定値を取得する設定済設定値取得部と、電力削減要請時に、前記機器に前記第１設定値を設定した場合に比べて前記機器の消費電力が大きくなる第２設定値を、前記機器の設定値として端末装置に提供する設定値提供部と、を備える。
【００１４】
（９）本発明の他の実施態様に係る機器制御システムは、機器に、当該機器の動作に関連する設定値を設定し、当該機器を制御する機器制御装置と、当該機器の設定値を表示する端末装置とを備え、前記機器制御装置は、前記機器に設定した第１設定値を取得する設定済設定値取得部と、電力削減要請時に、前記機器に前記第１設定値を設定した場合に比べて前記機器の消費電力が大きくなる第２設定値を、前記機器の設定値として前記端末装置に提供する設定値提供部と、を有し、前記端末装置は、前記機器制御装置から提供された前記第２設定値を画面に表示する表示制御部を有する。
【００１５】
（１０）本発明の他の実施態様に係る機器制御方法は、機器に、当該機器の動作に関連する設定値を設定し、当該機器を制御する機器制御装置による機器制御方法であって、設定済設定値取得部が、前記機器に設定されている第１設定値を取得し、設定値提供部が、電力削減要請時に、前記機器に前記第１設定値を設定した場合に比べて前記機器の消費電力が大きくなる第２設定値を、前記機器の設定値として端末装置に提供する。
【００１６】
（１１）本発明の他の実施態様に係るコンピュータプログラムは、機器に、当該機器の動作に関連する設定値を設定し、当該機器を制御する機器制御装置として、コンピュータを機能させるためのコンピュータプログラムであって、前記コンピュータを、前記機器に設定されている第１設定値を取得する設定済設定値取得部と、電力削減要請時に、前記機器に前記第１設定値を設定した場合に比べて前記機器の消費電力が大きくなる第２設定値を、前記機器の設定値として端末装置に提供する設定値提供部と、して機能させる。
【発明の効果】
【００１７】
本発明によると、需要家が受けるストレスを低減しつつ、節電を行うことができる。
【図面の簡単な説明】
【００１８】
【図１】本発明の実施の形態１に係る機器制御システムの構成を示す図である。
【図２】ＨＥＭＳコントローラの構成を示すブロック図である。
【図３】サーバの構成を示すブロック図である。
【図４】ＨＥＭＳテーブルの一例を示す図である。
【図５】端末装置の構成を示すブロック図である。
【図６】タッチパネルに表示されるトップ画面の一例を示す図である。
【図７】タッチパネルに表示されるエアコン操作画面の一例を示す図である。
【図８】タッチパネルに表示される照明機器操作画面の一例を示す図である。
【図９】タッチパネルに表示されるテレビ操作画面の一例を示す図である。
【図１０】タッチパネルに表示される設定画面の一例を示す図である。
【図１１】機器制御システムの動作手順を定めたシーケンスの一例を示す図である。
【図１２】機器制御システムの動作手順を定めたシーケンスの一例を示す図である。
【図１３】機器制御システムの動作手順を定めたシーケンスの一例を示す図である。
【図１４】変形例４に係る機器制御システムの構成を示す図である。
【発明を実施するための形態】
【００１９】
［本願発明の実施形態の概要］
最初に本発明の実施形態の概要を列記して説明する。
（１）本発明の一実施形態に係る機器制御装置は、機器に、当該機器の動作に関連する設定値を設定し、当該機器を制御する機器制御装置であって、前記機器に設定されている第１設定値を取得する設定済設定値取得部と、電力削減要請時に、前記機器に前記第１設定値を設定した場合に比べて前記機器の消費電力が大きくなる第２設定値を、前記機器の設定値として端末装置に提供する設定値提供部と、を備える。
【００２０】
この構成によると、電力削減要請時に機器に設定した第１設定値に代えて、機器に設定した場合の消費電力が第１設定値よりも大きい第２設定値を端末装置に提供することができる。これにより、端末装置は、第２設定値を機器の設定値として表示する。よって、機器には第１設定値が設定されているにもかかわらず、端末装置の表示を見た需要家に対し、機器に第２設定値が設定されていると思い込ませることができる。これにより、需要家は気づかないうちに節電に協力することができ、需要家が受けるストレスを低減しつつ、節電を行うことができる。
【００２１】
（２）また、前記機器制御装置は、さらに、前記機器への設定対象の設定値として第３設定値を取得する設定対象設定値取得部と、前記電力削減要請時に、前記設定対象設定値取得部が取得した前記第３設定値に代えて、前記機器に前記第３設定値を設定した場合に比べて前記機器の消費電力が小さくなる第４設定値を、前記機器に設定する設定値設定部と、を備え、前記設定済設定値取得部は、前記第１設定値として前記第４設定値を取得し、前記設定値提供部は、前記第２設定値として前記第３設定値を提供してもよい。
【００２２】
この構成によると、電力削減要請時に、需要家が機器に第３設定値を設定しようとした場合には、機器に設定した場合の消費電力が第３設定値よりも小さい第４設定値が機器に設定される。しかし、端末装置には機器への設定値として第３設定値が提供される。よって、機器には第４設定値が設定されているにもかかわらず、端末装置の表示を見た需要家に対して、機器に第３設定値が設定されていると思い込ませることができる。これにより、需要家は気づかないうちに節電に協力することができ、需要家が受けるストレスを低減しつつ、節電を行うことができる。
【００２３】
（３）また、前記電力削減要請は、第１段階の電力削減要請と、前記第１段階の電力削減要請よりもより多くの電力の削減を要請する第２段階の電力削減要請とを含み、前記設定値設定部は、前記第２段階の電力削減要請時には、前記第１段階の電力削減要請時に比べて、より前記機器の消費電力が小さくなる前記第４設定値を、前記機器に設定してもよい。
【００２４】
この構成によると、２段階の電力削減要請に対し、各段階の電力削減要請に応じて機器に設定される第４設定値を変化させつつ、端末装置には機器への設定値として同じ第３設定値を提供することができる。これにより、需要家は、電力削減要請の段階が変化した場合であっても、気づかないうちに節電に協力することができる。
【００２５】
（４）また、前記設定値設定部は、予め設定された設定値閾値を超えない範囲で前記第４設定値を、前記機器に設定してもよい。
【００２６】
この構成によると、機器に設定される第４設定値に制限を設けることができる。第４設定値に制限を設けることにより、例えば、エアコンの設定温度が高くなりすぎるのを防止することができる。これにより、需要家に過度なストレスを与えるのを防止することができる。
【００２７】
（５）また、前記設定値設定部は、前記電力削減要請時に、当該設定値設定部による前記機器への設定値の自動的な設定が許可されている場合には、前記機器に前記設定済設定値取得部が取得した前記第１設定値を設定した場合に比べて前記機器の消費電力が小さくなる前記第４設定値を、前記機器に設定してもよい。
【００２８】
この構成によると、電力削減要請時に、設定値設定部による前記機器への設定値の自動的な設定が許可されている場合には、機器に設定されている設定値である第１設定値を、動作時の消費電力が小さくなる第４設定値に自動的に変更することができる。これにより、需要家が意識しなくても、自動的に節電を行うことができる。
【００２９】
（６）また、前記設定済設定値取得部は、前記機器から、前記機器に設定した前記第１設定値を取得してもよい。
【００３０】
この構成によると、機器制御装置以外の装置（例えば、赤外線リモコン）を利用して、機器の設定値が強制的に変更された場合であっても、設定済設定値取得部は、機器から機器に設定した第１設定値を取得することができることより、端末装置に対して第１設定値に基づいた第２設定値を提供することができる。これにより、需要家に対し、機器に第２設定値が設定されていると思い込ませることができる。
【００３１】
（７）また、前記機器は、エアコンであり、前記設定値は、前記エアコンの設定温度であり、前記第２設定値は、前記エアコンの冷房運転時には前記第１設定値に比べて低い設定温度であり、前記エアコンの暖房運転時には前記第１設定値に比べて高い設定温度であってもよい。
【００３２】
この構成によると、電力削減要請時に冷房運転を行っている場合には、エアコンに実際に設定されている温度よりも低い温度を端末装置に提供することができる。これにより、端末装置は、提供を受けた低い温度を機器の設定値として表示する。よって、端末装置の表示を見た需要家に対し、実際よりも低い温度がエアコンに設定されていると思い込ませることができる。同様に、電力削減要請時に暖房運転を行っている場合には、エアコンに実際に設定されている温度よりも高い温度を端末装置に提供することができる。これにより、端末装置は、提供を受けた高い温度を機器の設定値として表示する。よって、端末装置の表示を見た需要家に対し、実際よりも高い温度がエアコンに設定されていると思い込ませることができる。これにより、需要家は気づかないうちに節電に協力することができる。
【００３３】
（８）また、前記機器は、照明機器であり、前記設定値は、照明の明るさを示す値であり、前記第２設定値は、前記第１設定値に比べて明るい照明の明るさを示す値であってもよい。
【００３４】
この構成によると、電力削減要請時に、照明機器に実際に設定されている明るさの設定値よりも明るい設定値を端末装置に提供することができる。これにより、端末装置は、提供を受けた明るい設定値を照明機器の設定値として表示する。よって、端末装置の表示を見た需要家に対し、実際よりも明るい設定値が照明機器に設定されていると思い込ませることができる。これにより、需要家は気づかないうちに節電に協力することができる。
【００３５】
（９）本発明の他の実施形態に係る機器制御システムは、機器に、当該機器の動作に関連する設定値を設定し、当該機器を制御する機器制御装置と、当該機器の設定値を表示する端末装置とを備え、前記機器制御装置は、前記機器に設定した第１設定値を取得する設定済設定値取得部と、電力削減要請時に、前記機器に前記第１設定値を設定した場合に比べて前記機器の消費電力が大きくなる第２設定値を、前記機器の設定値として前記端末装置に提供する設定値提供部と、を有し、前記端末装置は、前記機器制御装置から提供された前記第２設定値を画面に表示する表示制御部を有する。
【００３６】
この構成は、上述の機器制御装置を含む。このため、上述の機器制御装置と同様の作用および効果を奏することができる。
【００３７】
（１０）本発明の他の実施形態に係る機器制御方法は、機器に、当該機器の動作に関連する設定値を設定し、当該機器を制御する機器制御装置による機器制御方法であって、設定済設定値取得部が、前記機器に設定されている第１設定値を取得し、設定値提供部が、電力削減要請時に、前記機器に前記第１設定値を設定した場合に比べて前記機器の消費電力が大きくなる第２設定値を、前記機器の設定値として端末装置に提供する。
【００３８】
この構成は、上述の機器制御装置が備える処理部に対応するステップを含む。このため、上述の機器制御装置と同様の作用および効果を奏することができる。
【００３９】
（１１）本発明の他の実施形態に係るコンピュータプログラムは、機器に、当該機器の動作に関連する設定値を設定し、当該機器を制御する機器制御装置として、コンピュータを機能させるためのコンピュータプログラムであって、前記コンピュータを、前記機器に設定されている第１設定値を取得する設定済設定値取得部と、電力削減要請時に、前記機器に前記第１設定値を設定した場合に比べて前記機器の消費電力が大きくなる第２設定値を、前記機器の設定値として端末装置に提供する設定値提供部と、して機能させる。
【００４０】
この構成によると、コンピュータを、上述の機器制御装置として機能させることができる。このため、上述の機器制御装置と同様の作用および効果を奏することができる。
【００４１】
＜本願発明の実施形態の詳細＞
以下、本発明の実施の形態について、図面を用いて詳細に説明する。なお、以下で説明する実施の形態は、いずれも本発明の好ましい一具体例を示すものである。以下の実施の形態で示される数値、形状、構成要素、構成要素の配置位置および接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００４２】
また、同一の構成要素には同一の符号を付す。それらの機能および名称も同様であるため、それらの説明は適宜省略する。
【００４３】
（実施の形態１）
［機器制御の全体構成］
図１は、本発明の実施の形態１に係る機器制御システムの構成を示す図である。
機器制御システム１は、サーバ１０と、ＨＥＭＳ（Home Energy Management System）コントローラ２０と、複数の機器５０と、端末装置６０とを備える。
【００４４】
機器制御システム１は、家２に設置された家電機器等の機器５０の動作を制御するためのシステムである。ただし、機器制御システム１が対象とする機器５０の設置場所は家２に限定されるものではなく、オフィスなどであってもよい。
【００４５】
家２には、機器５０として、照明機器と、エアコンと、テレビとが設置されているものとする。
【００４６】
端末装置６０は、需要家であるユーザが所持するスマートフォンやタブレット端末、ノートパソコン等の端末装置である。ユーザは、端末装置６０を利用して、制御対象の機器５０を指定し、指定した機器５０の動作に関連する設定値を入力する。例えば、指定した機器５０がエアコンの場合には、ユーザは、エアコンの設定温度や動作モードなどを入力する。また、指定した機器５０が照明機器の場合には、ユーザは、照明の明るさレベルなどを入力する。さらに、指定した機器５０がテレビの場合には、ユーザは、画面の明るさレベルなどを入力する。
【００４７】
端末装置６０は、ユーザが入力した制御対象機器の識別情報である制御対象情報と、設定値とを、ネットワーク３を介してサーバ１０に送信する。ここで、ネットワーク３は、例えば、インターネット等の広域通信網である。
【００４８】
サーバ１０は、端末装置６０から制御対象情報および設定値の情報を受信し、端末装置６０のユーザに対応付けられたＨＥＭＳコントローラ２０に対して、これらの情報を送信する。また、サーバ１０は、ＨＥＭＳコントローラ２０から、機器５０に設定されている設定値の情報を受信し、ＨＥＭＳコントローラ２０に対応付けられたユーザが使用する端末装置６０に、受信した設定値の情報を送信する。
【００４９】
ＨＥＭＳコントローラ２０は、ネットワーク３を介してサーバ１０と接続されている。また、ＨＥＭＳコントローラ２０は、各機器５０と、無線または有線により接続されている。ＨＥＭＳコントローラ２０と各機器５０との間の通信プロトコルは、例えば、ＥＣＨＯＮＥＴ  Ｌｉｔｅ（登録商標）に基づくものである。なお、ＨＥＭＳコントローラ２０は、通常、家２の中に設置されるが、家２の外に設置されてもよい。
【００５０】
ＨＥＭＳコントローラ２０は、サーバ１０から受信した制御対象情報および設定値に基づいて、いずれかの機器５０に対して、設定値に対応する命令コードを送信する。つまり、ＨＥＭＳコントローラ２０は、機器５０を制御する機器制御装置として機能する。
【００５１】
［ＨＥＭＳコントローラ２０の構成］
図２は、ＨＥＭＳコントローラ２０の構成を示すブロック図である。
ＨＥＭＳコントローラ２０は、通信Ｉ／Ｆ（インタフェース）部２１と、ＣＰＵ（Central Processing Unit）２２と、記憶部２３とを備える。
【００５２】
通信Ｉ／Ｆ部２１は、サーバ１０または機器５０と無線または有線により通信を行うための通信インタフェースである。
【００５３】
ＣＰＵ２２は、ＨＥＭＳコントローラ２０を、機器制御装置として機能させるためのコンピュータプログラムを実行する。
【００５４】
記憶部２３は、ＣＰＵ２２で実行されるコンピュータプログラムの他、各種データを記憶するための記憶装置であり、ＲＡＭ（Random Access Memory）、ＲＯＭ（Read Only Memory）、ＨＤＤ（Hard Disk Drive）などにより構成される。
【００５５】
ＣＰＵ２２は、コンピュータプログラムをＣＰＵ２２で実行することにより実現される機能的な処理部として、設定済設定値取得部２４と、設定値提供部２５と、設定対象設定値取得部２６と、設定値設定部２７とを備える。
【００５６】
設定済設定値取得部２４は、指定した機器５０から、当該機器５０に設定されている設定値（第１設定値に相当する。以下、「設定済設定値」という。）を取得する。
【００５７】
設定値提供部２５は、ＤＲ実施中などの電力削減要請時に、設定済設定値取得部２４が取得した機器５０の設定済設定値を当該機器５０に設定した場合に比べて、当該機器５０の消費電力が大きくなる設定値（第２設定値に相当する。以下、「表示用設定値」という。）を、機器５０の設定値として、通信Ｉ／Ｆ部２１を介してサーバ１０に送信する。サーバ１０は、設定値提供部２５から受信した表示用設定値の情報を、端末装置６０に送信する。端末装置６０は、表示用設定値を、機器５０に設定されている設定値として表示する。
【００５８】
なお、設定済設定値と表示用設定値との差は、事前に記憶部２３に記憶されているものとする。例えば、機器５０がエアコンの場合には、当該差は１℃とされる。この場合、設定値提供部２５は、エアコンの実際の設定温度が２６℃の場合には、端末装置６０での表示用の設定温度として、２５℃を示す情報をサーバ１０に送信する。
【００５９】
設定対象設定値取得部２６は、サーバ１０を介して、端末装置６０から、機器５０への設定対象の設定値（第３設定値に相当する。以下、「設定対象設定値」という。）を取得する。
【００６０】
設定値設定部２７は、電力削減要請時に、設定対象設定値取得部２６が取得した機器５０への設定対象設定値に代えて、当該機器５０に設定対象御設定値を設定した場合に比べて当該機器５０の消費電力が小さくなる設定値（第４設定値に相当する。以下、「実設定値」という。）を、当該機器５０に設定する。設定値設定部２７は、通信Ｉ／Ｆ部２１を介して、機器５０に実設定値の情報を送信することにより、実設定値を当該機器５０に設定する。
【００６１】
なお、設定対象設定値と実設定値との差は、上述した設定済設定値と表示用設定値との差と同じ値とされる。例えば、設定対象設定値取得部２６が、エアコンの設定温度として２６℃を取得した場合には、設定値設定部２７は、エアコンに設定温度として２７℃の情報を送信することにより、エアコンを２７℃に設定する。
【００６２】
［サーバ１０の構成］
図３は、サーバ１０の構成を示すブロック図である。
サーバ１０は、通信Ｉ／Ｆ部１１と、ＣＰＵ１２と、記憶部１３とを備える。
通信Ｉ／Ｆ部１１は、サーバ１０をネットワーク３に接続するための通信インタフェースであり、ネットワーク３を介してＨＥＭＳコントローラ２０および端末装置６０と通信を行う。
【００６３】
ＣＰＵ１２は、コンピュータプログラムを実行する。
記憶部１３は、ＣＰＵ１２で実行されるコンピュータプログラムの他、後述するＨＥＭＳテーブル１７や、各種データを記憶するための記憶装置であり、ＲＡＭ、ＲＯＭ、ＨＤＤなどにより構成される。
【００６４】
図４は、ＨＥＭＳテーブル１７の一例を示す図である。
図４に示すように、ＨＥＭＳテーブル１７は、ユーザＩＤと、ＨＥＭＳ  ＩＤとを含む。ユーザＩＤは、ユーザの識別情報であり、ＨＥＭＳ  ＩＤはＨＥＭＳコントローラ２０の識別情報である。ＨＥＭＳテーブル１７は、ユーザによる機器５０の設定値の送信先であるＨＥＭＳコントローラ２０を特定するための情報である。例えば、ユーザＩＤ「Ｕ００１」がＨＥＭＳ  ＩＤ「Ｈ００１」に対応付けられ、ユーザＩＤ「Ｕ００２」がＨＥＭＳ  ＩＤ「Ｈ００２」に対応付けられている。なお、ＨＥＭＳテーブル１７には、ユーザＩＤの代わりに端末装置６０を識別する端末装置ＩＤが含まれていてもよい。端末装置ＩＤとしては、例えば、ＭＡＣ（Media Access Control）アドレスを用いることができる。
【００６５】
ＣＰＵ１２は、コンピュータプログラムをＣＰＵ１２で実行することにより実現される機能的な処理部として、受信部１４と、送信先決定部１５と、送信部１６とを備える。
【００６６】
受信部１４は、通信Ｉ／Ｆ部１１を介して、ＨＥＭＳコントローラ２０および端末装置６０から、各種情報を受信する。なお、受信部１４は、ＨＥＭＳコントローラ２０から情報を受信する場合には、ＨＥＭＳコントローラ２０のＩＤを受信し、端末装置６０から情報を受信する場合には、端末装置６０のユーザのユーザＩＤまたは端末装置６０の端末装置ＩＤを受信する。
【００６７】
送信先決定部１５は、記憶部１３に記憶されているＨＥＭＳテーブル１７を参照して、受信部１４が受信した情報の送信先を決定する。例えば、受信部１４がユーザＩＤ「Ｕ００１」のユーザが利用する端末装置６０から情報を受信した場合には、送信先決定部１５は、当該情報の送信先を、ＨＥＭＳ  ＩＤ「Ｈ００１」のＨＥＭＳコントローラ２０と決定する。また、受信部１４がＨＥＭＳ  ＩＤ「Ｈ００２」のＨＥＭＳコントローラ２０から情報を受信した場合には、送信先決定部１５は、当該情報の送信先を、ユーザＩＤ「Ｕ００２」が利用する端末装置６０と決定する。なお、ＨＥＭＳテーブル１７に、ＨＥＭＳ  ＩＤと端末装置ＩＤとが対応付けられて記憶されている場合には、送信先決定部１５は、ユーザＩＤの代わりに端末装置ＩＤを用いて、端末装置６０から受信した情報の送信先のＨＥＭＳコントローラ２０と、ＨＥＭＳコントローラ２０から受信した情報の送信先の端末装置６０とを決定する。
【００６８】
送信部１６は、通信Ｉ／Ｆ部１１を介して、送信先決定部１５が決定した送信先に、受信部１４が受信した情報を送信する。
【００６９】
これにより、例えば、ユーザが端末装置６０を操作して、機器５０の指示情報をサーバ１０に送信すると、サーバ１０は、ユーザに対応付けられたＨＥＭＳコントローラ２０に、当該指示情報を送信する。
【００７０】
［端末装置６０の構成］
図５は、端末装置６０の構成を示すブロック図である。
図５に示すように、端末装置６０は、通信Ｉ／Ｆ部６１と、ＣＰＵ６２と、記憶部６３と、タッチパネル６４とを備える。
【００７１】
通信Ｉ／Ｆ部６１は、ネットワーク３を介してサーバ１０と無線により通信を行うための通信インタフェースである。
ＣＰＵ６２は、コンピュータプログラムを実行する。
【００７２】
記憶部６３は、ＣＰＵ６２で実行されるコンピュータプログラムの他、各種データを記憶するための記憶装置であり、ＲＡＭ、ＲＯＭ、ＨＤＤなどにより構成される。
【００７３】
タッチパネル６４は、各種情報を表示する表示装置としての機能と、各種情報を入力する入力装置としての機能を備える。ただし、端末装置６０は、タッチパネル６４を備えずに、タッチパネル６４の代わりに、表示装置と、入力装置とを備えていてもよい。
【００７４】
ＣＰＵ６２は、コンピュータプログラムをＣＰＵ６２上で実行することにより実現される機能的な処理部として、設定値設定部６５を備える。
【００７５】
設定値設定部６５は、ユーザがタッチパネル６４を操作して入力した設定対象設定値を機器５０に設定するために、設定対象設定値の情報を、機器５０を指定するための情報とともに、通信Ｉ／Ｆ部６１を介してサーバ１０に送信する。サーバ１０は、これらの情報を、ＨＥＭＳコントローラ２０に送信する。
【００７６】
また、設定値設定部６５は、機器５０を指定するための情報とともに、機器５０の設定値を問い合わせる問い合わせ信号を、通信Ｉ／Ｆ部６１を介してサーバ１０に送信する。サーバ１０は、これらの情報を、ＨＥＭＳコントローラ２０に送信する。
【００７７】
また、設定値設定部６５は、通信Ｉ／Ｆ部６１を介してサーバ１０から、機器５０に設定されている設定値の情報を受信する。当該設定値の情報は、ＨＥＭＳコントローラ２０からサーバ１０に送信されたものである。設定値設定部６５は、受信した設定値の情報を、タッチパネル６４に表示させるための制御を行う。
【００７８】
図６〜図１０は、タッチパネル６４に表示される画像の一例を示す図である。
ユーザが、機器５０を操作するためのアプリケーションプログラムを起動すると、図６に示すようなトップ画面７０が、タッチパネル６４に表示される。
【００７９】
ユーザは、トップ画面７０に表示されたエアコンボタン７１、照明機器ボタン７２、テレビボタン７３および設定画面ボタン７４のいずれかを選択することにより、次の画面に進むことができる。
【００８０】
例えば、ユーザが、エアコンボタン７１を押下することにより、図７に示すようなエアコン操作画面８０が表示される。エアコン操作画面８０には、電源状態設定領域８１と、モード設定領域８２と、温度設定領域８３と、設定ボタン８４とが表示される。電源状態設定領域８１は、エアコンの電源状態として「ＯＮ」または「ＯＦＦ」を入力するための領域である。モード設定領域８２は、エアコンの運転モードとして、「冷房」、「暖房」または「除湿」などを入力するための領域である。温度設定領域８３は、エアコンの設定温度を入力するための領域である。なお、トップ画面７０からエアコン操作画面８０に遷移した時点では、各領域８１〜８３には、エアコンの現在の設定値が表示されるものとする。
【００８１】
設定ボタン８４は、各領域８１〜８３に入力した設定値を、エアコンに設定するためにユーザが押下するためのボタンである。ユーザが設定ボタン８４を押下すると、設定値設定部６５は、各８１〜８３に入力された設定値の情報を、サーバ１０を介してＨＥＭＳコントローラ２０に送信する。ＨＥＭＳコントローラ２０は、受信したこれらの設定値の情報をエアコンに送信することで、エアコンの電源状態を変更したり、エアコンの運転モードを変えたり、エアコンの設定温度を変えたりする。
【００８２】
図６に示すトップ画面で、ユーザが照明機器ボタン７２を押下すると、図８に示すような照明機器操作画面９０が表示される。照明機器操作画面９０には、電源状態設定領域９１と、明るさレベル設定領域９２と、設定ボタン９３とが表示される。電源状態設定領域９１は、照明機器の電源状態として「ＯＮ」または「ＯＦＦ」を入力するための領域である。明るさレベル設定領域９２は、照明機器の照明の明るさレベルを入力するための領域である。例えば、明るさレベルには「１」〜「５」までの５つの段階があり、値が大きいほど明るいものとする。つまり、明るさレベル「５」が最も明るい照明状態であり、明るさレベル「１」が最も暗い照明状態であるものとする。なお、トップ画面７０から照明機器操作画面９０に遷移した時点では、各領域９１および９２には、照明機器の現在の設定値が表示されるものとする。
【００８３】
設定ボタン９３は、各領域９１および９２に入力した設定値を、照明機器に設定するためにユーザが押下するためのボタンである。ユーザが設定ボタン９３を押下すると、設定値設定部６５は、各領域９１および９２に入力された設定値の情報を、サーバ１０を介してＨＥＭＳコントローラ２０に送信する。ＨＥＭＳコントローラ２０は、受信したこれらの設定値の情報を照明機器に送信することで、照明機器の電源状態を変更したり、照明機器の照明の明るさレベルを変えたりする。
【００８４】
図６に示すトップ画面で、ユーザがテレビボタン７３を押下すると、図９に示すようなテレビ操作画面１００が表示される。テレビ操作画面１００には、電源設定領域１０１と、明るさレベル設定領域１０２と、設定ボタン１０３とが表示される。電源設定領域１０１は、テレビの電源状態として「ＯＮ」または「ＯＦＦ」を入力するための領域である。明るさレベル設定領域１０２は、テレビ画面の明るさレベルを入力するための領域である。例えば、明るさレベルには「１」〜「１００」までの１００の段階があり、値が大きいほど明るいものとする。つまり、明るさレベル「１００」が最も画面が明るく、明るさレベル「１」が最も画面が暗いものとする。なお、トップ画面７０からテレビ操作画面１００に遷移した時点では、各領域１０１および１０２には、テレビの現在の設定値が表示されるものとする。
【００８５】
設定ボタン１０３は、各領域１０１および１０２に入力した設定値を、テレビに設定するためにユーザが押下するためのボタンである。ユーザが設定ボタン１０３を押下すると、設定値設定部６５は、各領域１０１および１０２に設定された設定値の情報を、サーバ１０を介してＨＥＭＳコントローラ２０に送信する。ＨＥＭＳコントローラ２０は、受信したこれらの設定値の情報をテレビに送信することで、テレビの電源状態を変更したり、テレビ画面の明るさレベルを変えたりする。
【００８６】
なお、テレビ操作画面１００には、テレビのチャンネルや音量等を設定するための領域が表示されていてもよい。
【００８７】
図６に示すトップ画面で設定画面ボタン７４を押下すると、図１０に示すような設定画面１１０が表示される。設定画面１１０には、自動省エネ動作を行うか否かを示すチェックボックス１１１と、設定ボタン１１２とが表示されるものとする。ユーザが、チェックボックス１１１にチェックを入れて、設定ボタン１１２を押下すると、その情報がサーバ１０を介してＨＥＭＳコントローラ２０に送信される。これにより、ＨＥＭＳコントローラ２０に自動省エネ動作を行うことを設定する。ＨＥＭＳコントローラ２０は、電力削減要請時に、自動省エネ動作を行うことが設定されているか否かを確認し、自動省エネ動作を行うことが設定されている場合にのみ、自動的に機器５０の設定値を変更する。
【００８８】
一方、ユーザが、チェックボックス１１１のチェックを外して、設定ボタン１１２を押下すると、その情報がサーバ１０を介してＨＥＭＳコントローラ２０に送信される。これにより、ＨＥＭＳコントローラ２０に自動省エネ動作を行わないことを設定する。ＨＥＭＳコントローラ２０は、電力削減要請時に、自動省エネ動作を行うことが設定されているか否かを確認し、自動省エネ動作を行わないことが設定されている場合には、自動的に機器５０の設定値を変更する動作を行わない。つまり、自動省エネ動作の設定が行われていない場合には、電力削減要請時であっても、電力削減動作を行わずに、通常の動作を行ってもよい。
【００８９】
［機器制御システム１の動作手順（その１）］
図１１は、機器制御システム１の動作手順を定めたシーケンスの一例を示す図である。
【００９０】
図１１は、ＤＲ実施中などの電力削減要請期間に、ＨＥＭＳコントローラ２０が機器５０であるエアコンの温度を自動設定する際のシーケンスの一例を示している。つまり、ＨＥＭＳコントローラ２０に、自動省エネ動作を行うことが設定されているものとする。
【００９１】
なお、以下の説明では、端末装置６０とＨＥＭＳコントローラ２０とが通信を行うものとして説明を行うが、実際には、サーバ１０が、端末装置６０とＨＥＭＳコントローラ２０との間で送受信されるデータを中継する。
【００９２】
ＤＲの実施が開始されると、ＨＥＭＳコントローラ２０の設定済設定値取得部２４は、エアコンに対して、設定温度問い合わせ信号を送信する（Ｓ１）。
【００９３】
問い合わせ信号を受信したエアコンは、エアコンに設定されている温度（設定済設定値）をＨＥＭＳコントローラ２０に送信する（Ｓ２）。例えば、当該温度は２５℃であるものとする。
【００９４】
ＨＥＭＳコントローラ２０の設定値設定部２７は、自動省エネ動作を行うために、エアコンに、現在の設定温度よりも高い温度を設定する（Ｓ３）。例えば、設定値設定部２７は、設定温度２５℃に１℃加えた温度２６℃の情報をエアコンに送信することにより、エアコンの設定温度を１℃上げる。
【００９５】
エアコンは、設定温度の変更後に、設定成功信号をＨＥＭＳコントローラ２０に送信する（Ｓ４）。ＨＥＭＳコントローラ２０の設定値設定部２７は、当該設定成功信号を受信することにより、設定温度の変更が成功したことを知る。設定値設定部２７は、設定温度の情報をエアコンに送信してから、所定時間の間に当該設定成功信号を受信していなければ、設定温度の情報をエアコンに再送するようにしてもよい。
【００９６】
次に、端末装置６０から設定温度の問い合わせが行われたとする。例えば、ユーザが、端末装置６０上でエアコンを操作するためのアプリケーションプログラムを起動したとする。起動に応答して、端末装置６０の設定値設定部６５は、サーバ１０を介して、ＨＥＭＳコントローラ２０に対して設定温度を問い合わせる問い合わせ信号を送信する（Ｓ５）。
【００９７】
問い合わせ信号を受信したＨＥＭＳコントローラ２０の設定済設定値取得部２４は、エアコンに対して、設定温度問い合わせ信号を送信する（Ｓ６）。
【００９８】
問い合わせ信号を受信したエアコンは、エアコンに設定されている温度（設定済設定値）をＨＥＭＳコントローラ２０に送信する（Ｓ７）。ステップＳ３の処理で、エアコンの設定温度が２６℃とされていることより、エアコンは、ＨＥＭＳコントローラ２０に、設定温度である２６℃の情報を送信する。
【００９９】
ＨＥＭＳコントローラ２０の設定値提供部２５は、エアコンの設定温度を受信し、受信した設定温度よりも低い温度の情報を、サーバ１０を介して端末装置６０に送信する（Ｓ８）。例えば、設定値提供部２５は、エアコンの設定温度である２６℃よりも１℃低い２５℃の情報を送信する。すると、端末装置６０の設定値設定部６５は、タッチパネル６４に、エアコンの設定温度として２５℃を表示させる。
【０１００】
次に、ユーザが端末装置６０を操作して、エアコンの温度を変更する。例えば、ユーザが、図７に示すようなエアコン操作画面８０で温度設定領域８３に「２６℃」を入力して、設定ボタン８４を押下したとする。
【０１０１】
端末装置６０の設定値設定部６５は、エアコンの設定温度（設定対象設定値）として、２６℃の情報を、サーバ１０を介してＨＥＭＳコントローラ２０に送信する（Ｓ９）。ＨＥＭＳコントローラ２０の設定対象設定値取得部２６は、エアコンの当該設定温度を取得する。
【０１０２】
ＨＥＭＳコントローラ２０の設定値設定部２７は、設定対象設定値取得部２６が取得した設定温度よりも高い温度の設定温度（実設定値）を、エアコンに設定する（Ｓ１０）。例えば、設定値設定部２７は、設定対象設定値取得部２６が取得した設定温度２６℃に１℃を加えた設定値設定部２７℃の情報を、通信Ｉ／Ｆ部２１を介してエアコンに送信し、エアコンは、設定温度を２７℃に変更する。
【０１０３】
エアコンは、設定温度の変更後に、設定成功信号をＨＥＭＳコントローラ２０に送信する（Ｓ１１）。
【０１０４】
ＨＥＭＳコントローラ２０の設定値設定部２７は、エアコンから設定成功信号を受信すると、端末装置６０に対して設定成功信号を送信する（Ｓ１２）。これにより、端末装置６０の設定値設定部６５は、設定温度の変更に成功したことを知る。ただし、エアコン操作画面８０には、実際の設定温度２７℃よりも低い温度である２６℃が表示されたままである。設定値設定部６５は、設定温度の情報をＨＥＭＳコントローラ２０に送信してから、所定時間の間に設定成功信号を受信していなければ、設定温度の情報をＨＥＭＳコントローラ２０に再送するようにしてもよい。
【０１０５】
［機器制御システム１の動作手順（その２）］
図１２は、機器制御システム１の動作手順を定めたシーケンスの一例を示す図である。
【０１０６】
図１１に示したシーケンスでは、ＨＥＭＳコントローラ２０に自動省エネ動作を行うことが設定されているものとしたが、図１２に示すシーケンスでは、ＨＥＭＳコントローラ２０に、自動省エネ動作を行うことが設定されていないものとする。
【０１０７】
図１２を参照して、ＤＲ実施中に、端末装置６０から設定温度の問い合わせが行われたとする。例えば、ユーザが、端末装置６０上でエアコンを操作するためのアプリケーションプログラムを起動したとする。起動に応答して、端末装置６０の設定値設定部６５は、サーバ１０を介して、ＨＥＭＳコントローラ２０に対して設定温度を問い合わせる問い合わせ信号を送信する（Ｓ２１）。
【０１０８】
問い合わせ信号を受信したＨＥＭＳコントローラ２０の設定済設定値取得部２４は、エアコンに対して、設定温度問い合わせ信号を送信する（Ｓ２２）。
【０１０９】
問い合わせ信号を受信したエアコンは、エアコンに設定されている温度（設定済設定値）をＨＥＭＳコントローラ２０に送信する（Ｓ２３）。例えば、エアコンは、ＨＥＭＳコントローラ２０に、現在の設定温度である２６℃の情報を送信する。
【０１１０】
ＨＥＭＳコントローラ２０の設定値提供部２５は、エアコンの設定温度を受信する。現在、自動省エネ動作を行うことが設定されていないことより、設定値提供部２５は、受信した設定温度の情報を、サーバ１０を介して端末装置６０に送信する（Ｓ２４）。これにより、端末装置６０の設定値設定部６５は、タッチパネル６４に、エアコンに実際に設定されている設定温度である２６℃を表示させる。
【０１１１】
次に、ユーザが端末装置６０を操作して、エアコンの温度を変更する。例えば、ユーザが、図７に示すようなエアコン操作画面８０で温度設定領域８３に「２５℃」を入力して、設定ボタン８４を押下したとする。
【０１１２】
端末装置６０の設定値設定部６５は、エアコンの設定温度（設定対象設定値）として、２５℃の情報を、サーバ１０を介してＨＥＭＳコントローラ２０に送信する（Ｓ２５）。ＨＥＭＳコントローラ２０の設定対象設定値取得部２６は、エアコンの当該設定温度を取得する。
【０１１３】
ＨＥＭＳコントローラ２０の設定値設定部２７は、設定対象設定値取得部２６が取得した設定温度よりも高い温度の設定温度（実設定値）を、エアコンに設定する（Ｓ２６）。例えば、設定値設定部２７は、設定対象設定値取得部２６が取得した設定温度２５℃に１℃を加えた２６℃の情報を、通信Ｉ／Ｆ部２１を介してエアコンに送信し、エアコンは、設定温度を２６℃に変更する。このように、設定値設定部２７は、端末装置６０から設定温度を受信してから、省エネ動作を開始することとなる。
【０１１４】
エアコンは、設定温度の変更後に、設定成功信号をＨＥＭＳコントローラ２０に送信する（Ｓ２７）。
【０１１５】
ＨＥＭＳコントローラ２０の設定値設定部２７は、エアコンから設定成功信号を受信すると、端末装置６０に対して設定成功信号を送信する（Ｓ２８）。これにより、端末装置６０の設定値設定部６５は、設定温度の変更に成功したことを知る。設定値設定部６５は、設定温度の情報をＨＥＭＳコントローラ２０に送信してから、所定時間の間に設定成功信号を受信していなければ、設定温度の情報をＨＥＭＳコントローラ２０に再送するようにしてもよい。
【０１１６】
次に、端末装置６０から、再度、設定温度の問い合わせが行われたとする。例えば、ユーザが、端末装置６０上でエアコンを操作するためのアプリケーションプログラムを再度起動したとする。起動に応答して、端末装置６０の設定値設定部６５は、サーバ１０を介して、ＨＥＭＳコントローラ２０に対して設定温度を問い合わせる問い合わせ信号を送信する（Ｓ２９）。
【０１１７】
問い合わせ信号を受信したＨＥＭＳコントローラ２０の設定済設定値取得部２４は、エアコンに対して、設定温度問い合わせ信号を送信する（Ｓ３０）。
【０１１８】
問い合わせ信号を受信したエアコンは、エアコンに設定されている温度（設定済設定値）をＨＥＭＳコントローラ２０に送信する（Ｓ３１）。ステップＳ２６の処理で、エアコンの設定温度が２６℃とされていることより、エアコンは、ＨＥＭＳコントローラ２０に、設定温度である２６℃の情報を送信する。
【０１１９】
ＨＥＭＳコントローラ２０の設定値提供部２５は、エアコンの設定温度を受信し、受信した設定温度よりも低い温度の情報を、サーバ１０を介して端末装置６０に送信する（Ｓ３２）。例えば、設定値提供部２５は、エアコンの設定温度である２６℃よりも１℃低い２５℃の情報を送信する。すると、端末装置６０の設定値設定部６５は、タッチパネル６４に、エアコンの設定温度として２５℃を表示させる。
【０１２０】
その後、他のユーザが、エアコンの赤外線リモコンを操作して、エアコンの設定温度を変更したとする。
【０１２１】
例えば、赤外線リモコンに設定温度を２５℃に設定すると、赤外線リモコンからエアコンに対して、設定温度２５℃の情報が送信される（Ｓ３３）。エアコンは、設定温度を２５℃に変更する。
【０１２２】
エアコンは、設定温度の変更後に、設定成功信号を赤外線リモコンに送信する（Ｓ３４）。赤外線リモコンは、エアコンから設定成功信号を受信することにより、設定温度の変更に成功したことを知る。
【０１２３】
その後、端末装置６０から、再度、設定温度の問い合わせが行われたとする。例えば、ユーザが、端末装置６０上でエアコンを操作するためのアプリケーションプログラムを再度起動したとする。起動に応答して、端末装置６０の設定値設定部６５は、サーバ１０を介して、ＨＥＭＳコントローラ２０に対して設定温度を問い合わせる問い合わせ信号を送信する（Ｓ３５）。
【０１２４】
問い合わせ信号を受信したＨＥＭＳコントローラ２０の設定済設定値取得部２４は、エアコンに対して、設定温度問い合わせ信号を送信する（Ｓ３６）。
【０１２５】
問い合わせ信号を受信したエアコンは、エアコンに設定されている温度（設定済設定値）をＨＥＭＳコントローラ２０に送信する（Ｓ３７）。ステップＳ３３の処理で、リモコンがエアコンに２５℃を設定したことより、エアコンは、ＨＥＭＳコントローラ２０に、設定温度である２５℃の情報を送信する。
【０１２６】
ＨＥＭＳコントローラ２０の設定値提供部２５は、エアコンの設定温度を受信し、受信した設定温度よりも低い温度の情報を、サーバ１０を介して端末装置６０に送信する（Ｓ３８）。例えば、設定値提供部２５は、エアコンの設定温度である２５℃よりも１℃低い２４℃の情報を送信する。すると、端末装置６０の設定値設定部６５は、タッチパネル６４に、エアコンの設定温度として２４℃を表示させる。
【０１２７】
［実施の形態１の効果］
以上説明したように、本発明の実施の形態１によると、ＤＲ実施中などの電力削減要請時に、エアコンに設定した設定温度に代えて、設定温度よりも低い温度を端末装置６０に表示させることができる。よって、エアコンには、相対的に高い温度が設定されているにもかかわらず、端末装置６０の表示を見たユーザに対し、エアコンに相対的に低い温度が設定されていると思い込ませることができる。これにより、ユーザは、気づかないうちに節電に協力することができ、ユーザが受けるストレスを低減しつつ、節電を行うことができる。
【０１２８】
また、電力削減要請時に、ユーザが、端末装置６０を操作して、エアコンの温度を設定しようとした場合には、ユーザが指定した設定温度よりも高い温度がエアコンに設定される。しかし、端末装置６０には、エアコンの設定温度として、ユーザが設定しようとした温度が提供される。よって、エアコンには、相対的に高い温度が設定されているにもかかわらず、端末装置６０の表示を見たユーザに対し、エアコンに相対的に低い温度が設定されていると思い込ませることができる。
【０１２９】
また、電力削減要請時に、自動省エネ動作を行うことが設定されている場合には、ＨＥＭＳコントローラ２０は、エアコンの設定温度を、高い温度に自動的に変更することができる。これにより、ユーザが意識しなくても、自動的に節電を行うことができる。
【０１３０】
また、リモコンから、エアコンの設定温度が強制的に変更された場合であっても、設定済設定値取得部２４は、エアコンから設定温度を取得することができる。これにより、ＨＥＭＳコントローラ２０は、エアコンの実際の設定温度に基づいて、当該設定温度よりも低い温度を端末装置６０に提供することができる。これにより、ユーザに対し、エアコンに実際よりも低い温度が設定されていると思い込ませることができる。これにより、ユーザが受けるストレスを低減しつつ、節電を行うことができる。
【０１３１】
（実施の形態２）
実施の形態２では、電力削減要請に２段階ある場合の処理について説明する。つまり、電力削減要請として、ＤＲ（弱）と、ＤＲ（強）とが存在するものとする。いずれも、需要家における消費電力の削減要請であるが、ＤＲ（強）は、ＤＲ（弱）に比べて、より多くの電力の削減を要請する。
【０１３２】
機器制御システム１の構成は、実施の形態１と同様である。このため、その詳細な説明はここでは繰り返さない。
【０１３３】
なお、ＨＥＭＳコントローラ２０の記憶部２３には、設定済設定値と表示用設定値との差（実設定値と設定対象設定値との差）が事前に記憶されているものとするが、ＤＲ（弱）実施中の当該差を１℃と、ＤＲ（強）実施中の当該差を２℃として、以下の説明を行う。
【０１３４】
図１３は、機器制御システム１の動作手順を定めたシーケンスの一例を示す図である。
図１３は、ＤＲ実施中などの電力削減要請期間に、ＨＥＭＳコントローラ２０が機器５０であるエアコンの温度を自動設定する際のシーケンスの一例を示している。ただし、ＤＲには、上述したＤＲ（弱）と、ＤＲ（強）の２段階のＤＲが存在する。まず、ＤＲ（弱）の実施が開始され、その後に、ＤＲ（強）の実施が開始されるものとする。
【０１３５】
なお、図１３に示すシーケンスに先立って、エアコンの温度は２５℃に設定されていたものとする。その後、ＤＲ（弱）の実施が既に開始されており、ＨＥＭＳコントローラ２０の設定値設定部２７は、自動省エネ動作を行うために、エアコンの温度を１℃上げ、２６℃に設定しているものとする。
【０１３６】
次に、端末装置６０から設定温度の問い合わせが行われたとする。例えば、ユーザが、端末装置６０上でエアコンを操作するためのアプリケーションプログラムを起動したとする。起動に応答して、端末装置６０の設定値設定部６５は、サーバ１０を介して、ＨＥＭＳコントローラ２０に対して設定温度を問い合わせる問い合わせ信号を送信する（Ｓ４１）。
【０１３７】
問い合わせ信号を受信したＨＥＭＳコントローラ２０の設定済設定値取得部２４は、エアコンに対して、設定温度問い合わせ信号を送信する（Ｓ４２）。
【０１３８】
問い合わせ信号を受信したエアコンは、エアコンに設定されている温度（設定済設定値）をＨＥＭＳコントローラ２０に送信する（Ｓ４３）。すでに、エアコンの設定温度が２６℃とされていることより、エアコンは、ＨＥＭＳコントローラ２０に、設定温度である２６℃の情報を送信する。
【０１３９】
ＨＥＭＳコントローラ２０の設定値提供部２５は、エアコンの設定温度を受信し、受信した設定温度よりも低い温度の情報を、サーバ１０を介して端末装置６０に送信する（Ｓ４４）。例えば、設定値提供部２５は、ＤＲ（弱）の実施時には、エアコンの設定温度である２６℃よりも１℃低い２５℃の情報を送信する。すると、端末装置６０の設定値設定部６５は、タッチパネル６４に、エアコンの設定温度として２５℃を表示させる。
【０１４０】
その後、ＤＲ（強）の実施が開始されたものとする。すると、ＨＥＭＳコントローラ２０の設定済設定値取得部２４は、エアコンに対して、設定温度問い合わせ信号を送信する（Ｓ４５）。
【０１４１】
問い合わせ信号を受信したエアコンは、エアコンに設定されている温度（設定済設定値）をＨＥＭＳコントローラ２０に送信する（Ｓ４６）。当該温度は、上述したように２６℃であるものとする。
【０１４２】
ＨＥＭＳコントローラ２０の設定値設定部２７は、ＤＲ（弱）実施時よりもさらにレベルの高い自動省エネ動作を行うために、エアコンの現在の設定温度をさらに高くする（Ｓ４７）。つまり、設定値設定部２７は、設定温度２６℃に１℃加えた温度２７℃の情報をエアコンに送信することにより、エアコンの設定温度をさらに１℃上げる。これにより、ＤＲ（強）実施時には、ＤＲ実施前のエアコンの設定温度２５℃に２℃加えた２７℃が、エアコンに設定される。
【０１４３】
エアコンは、設定温度の変更後に、設定成功信号をＨＥＭＳコントローラ２０に送信する（Ｓ４８）。ＨＥＭＳコントローラ２０の設定値設定部２７は、当該設定成功信号を受信することにより、設定温度の変更が成功したことを知る。設定値設定部２７は、設定温度の情報をエアコンに送信してから、所定時間の間に当該設定成功信号を受信していなければ、設定温度の情報をエアコンに再送するようにしてもよい。
【０１４４】
次に、ＤＲ（強）実施中に、ユーザが端末装置６０を操作して、エアコンの温度を変更する。例えば、ユーザが、図７に示すようなエアコン操作画面８０で温度設定領域８３に「２４℃」を入力して、設定ボタン８４を押下したとする。
【０１４５】
端末装置６０の設定値設定部６５は、エアコンの設定温度（設定対象設定値）として、２４℃の情報を、サーバ１０を介してＨＥＭＳコントローラ２０に送信する（Ｓ４９）。ＨＥＭＳコントローラ２０の設定対象設定値取得部２６は、エアコンの当該設定温度を取得する。
【０１４６】
ＨＥＭＳコントローラ２０の設定値設定部２７は、設定対象設定値取得部２６が取得した設定温度よりも高い温度の設定温度（実設定値）を、エアコンに設定する（Ｓ５０）。例えば、設定値設定部２７は、ＤＲ（強）実施中であることより、設定対象設定値取得部２６が取得した設定温度２４℃に２℃を加えた設定値設定部２６℃の情報を、通信Ｉ／Ｆ部２１を介してエアコンに送信し、エアコンは、設定温度を２６℃に変更する。
【０１４７】
エアコンは、設定温度の変更後に、設定成功信号をＨＥＭＳコントローラ２０に送信する（Ｓ５１）。
【０１４８】
ＨＥＭＳコントローラ２０の設定値設定部２７は、エアコンから設定成功信号を受信すると、端末装置６０に対して設定成功信号を送信する（Ｓ５２）。これにより、端末装置６０の設定値設定部６５は、設定温度の変更に成功したことを知る。ただし、エアコン操作画面８０には、実際の設定温度２６℃よりも低い温度である２４℃が表示されたままである。設定値設定部６５は、設定温度の情報をＨＥＭＳコントローラ２０に送信してから、所定時間の間に設定成功信号を受信していなければ、設定温度の情報をＨＥＭＳコントローラ２０に再送するようにしてもよい。
【０１４９】
［実施の形態２の効果］
以上説明したように、本発明の実施の形態２によると、２段階の電力削減要請（ＤＲ）に対し、各段階の電力削減要請に応じてエアコンに設定される温度を変化させつつ、端末装置６０にはエアコンに実際に設定した温度よりも低い設定温度を表示させることができる。例えば、ユーザが、端末装置６０からエアコンの温度として２５℃を設定した場合には、ＤＲ（弱）実施中にはエアコンには２６℃が設定され、ＤＲ（強）実施中にはエアコンには２７℃が設定されることとなるが、端末装置６０に表示される設定温度は２５℃のままである。このため、ユーザは、ＤＲの段階が変化した場合であっても、気づかないうちに節電に協力することができる。
【０１５０】
（変形例１）
上述の実施の形態１および２では、ＤＲ実施中などの電力削減要請期間に、ＨＥＭＳコントローラ２０が、自動省エネ動作を行うために冷房運転中のエアコンの温度を上げたが、ＨＥＭＳコントローラ２０が設定可能なエアコンの温度に制限を設けてもよい。例えば、エアコンの上限温度を３０℃とした場合に、ユーザが端末装置６０を操作してエアコンの温度として３０℃を設定したとする。この場合、ＨＥＭＳコントローラ２０は、エアコンの設定温度を上げることは行わない。
【０１５１】
同様に、ＤＲ（強）実施中に、ユーザが端末装置６０を操作してエアコンの温度として２９℃を設定したとする。この場合、ＨＥＭＳコントローラ２０は、エアコンの設定温度を２℃上げてエアコンに３１℃を設定することはせずに、上限温度である３０℃を設定する。
【０１５２】
このように、ＨＥＭＳコントローラ２０が設定可能なエアコンの設定温度に上限を設けることで、エアコンの設定温度が高くなりすぎるのを防ぐことができる。これにより、ユーザに過度なストレスを与えるのを防止することができる。
【０１５３】
（変形例２）
上述の実施の形態１および２と、変形例１では、機器５０の例としてエアコンを取り上げたが、ＨＥＭＳコントローラ２０の制御対象の機器５０はエアコンに限定されるものではない。
例えば、制御対象の機器５０は、照明機器であってもよい。
【０１５４】
ＨＥＭＳコントローラ２０は、図８に示すような照明機器操作画面９０からユーザが設定した明るさレベルを、通常は照明機器に設定するが、ＤＲ実施中などの電力削減要請期間には、当該明るさレベルよりも小さい値を明るさレベルとして照明装置に設定する。ただし、端末装置６０から、明るさレベルの問い合わせがあった場合には、ユーザが設定した明るさレベルを応答する。なお、ＨＥＭＳコントローラ２０の記憶部２３には、照明装置に設定する明るさレベルと端末装置６０に応答する照明装置の明るさレベルとの差が、事前に記憶されているものとする。
【０１５５】
これにより、端末装置６０の表示を見たユーザに対し、実際よりも明るい明るさレベルが照明機器に設定されていると思い込ませることができる。これにより、ユーザは気づかないうちに節電に協力することができる。
また、制御対象の機器５０は、テレビであってもよい。
【０１５６】
ＨＥＭＳコントローラ２０は、図９に示すような照明機器操作画面９０からユーザが設定した明るさレベルを、通常はテレビに設定するが、ＤＲ実施中などの電力削減要請期間には、当該明るさレベルよりも小さい値を明るさレベルとしてテレビに設定する。ただし、端末装置６０から、明るさレベルの問い合わせがあった場合には、ユーザが設定した明るさレベルを応答する。なお、ＨＥＭＳコントローラ２０の記憶部２３には、テレビに設定する明るさレベルと端末装置６０に応答するテレビの明るさレベルとの差が、事前に記憶されているものとする。
【０１５７】
これにより、端末装置６０の表示を見たユーザに対し、実際よりも明るい明るさレベルがテレビに設定されていると思い込ませることができる。これにより、ユーザは気づかないうちに節電に協力することができる。
【０１５８】
（変形例３）
図１４は、変形例４に係る機器制御システムの構成を示す図である。
実施の形態１および２、変形例１および２では、ＨＥＭＳコントローラ２０と各機器５０とが接続され、ＨＥＭＳコントローラ２０が各機器５０に対して設定値を設定することとしたが、ＨＥＭＳコントローラ２０にＩＲ（赤外線）コントローラ４０が接続され、ＨＥＭＳコントローラ２０はＩＲコントローラ４０を介して各機器５０に設定値を設定する構成でもよい。
【０１５９】
ＩＲコントローラ４０は、ＨＥＭＳコントローラ２０から設定値の情報を受信し、当該設定値に対応する信号を制御対象の機器５０に送信する。
【０１６０】
この場合、ＨＥＭＳコントローラ２０は、各機器５０に設定値を問合せることができない。このため、ＨＥＭＳコントローラ２０は、各機器５０の設定値を記憶部２３に記憶しておくこととする。
【０１６１】
＜付記＞
なお、上述の実施の形態および変形例では、機器制御システム１にサーバ１０が備えられている構成を示したが、機器制御システム１には、サーバ１０が備えられていなくてもよい。この場合には、端末装置６０とＨＥＭＳコントローラ２０とが、無線または有線により直接接続され、端末装置６０とＨＥＭＳコントローラ２０との間でデータのやり取りが行われる。
【０１６２】
また、上述の実施の形態および変形例では、電力削減要請時に、ＨＥＭＳコントローラ２０が、実際に機器５０に設定されている設定値とは異なる値を端末装置６０に通知することとしたが、このような制御を電力削減要請時以外に行ってもよい。これにより、ユーザは、節電を意識することなく節電を行うことができる。
【０１６３】
また、上述の実施の形態および変形例では、エアコンの動作モードが冷房の場合を説明したが、エアコンの動作モードは暖房または除湿であってもよい。暖房時には、エアコンに実際に設定される温度よりも端末装置６０に表示される温度を高くする。例えば、エアコンに１８℃が設定されている場合に、端末装置６０には、エアコンの設定温度として１９℃が表示される。
【０１６４】
上記のサーバ１０、ＨＥＭＳコントローラ２０および端末装置６０は、具体的には、マイクロプロセッサ、ＲＯＭ、ＲＡＭ、ＨＤＤ、などから構成されるコンピュータシステムとして構成されてもよい。ＲＡＭまたはＨＤＤには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１６５】
さらに、上記の各装置を構成する構成要素の一部または全部は、１個のシステムＬＳＩから構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１６６】
また、本発明は、上記に示す方法であるとしてもよい。また、本発明は、これらの方法をコンピュータにより実現するコンピュータプログラムであるとしてもよい。
【０１６７】
さらに、本発明は、上記コンピュータプログラムをコンピュータ読取可能な非一時的な記録媒体、例えば、ＨＤＤ、ＣＤ−ＲＯＭ、半導体メモリなどに記録したものとしてもよい。
【０１６８】
また、本発明は、上記コンピュータプログラムを、電気通信回線、無線または有線通信回線、インターネットを代表とするネットワーク、データ放送等を経由して伝送するものとしてもよい。
また、上記各装置は、複数のコンピュータにより実現されてもよい。
【０１６９】
また、上記各装置の一部または全部の機能がクラウドコンピューティングによって提供されてもよい。つまり、各装置の一部または全部の機能がクラウドサーバにより実現されていてもよい。
さらに、上記実施の形態および上記変形例をそれぞれ組み合わせるとしてもよい。
【０１７０】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【０１７１】
１      機器制御システム
２      家
３      ネットワーク
５      明るさレベル
１０    サーバ
１１    通信Ｉ／Ｆ部
１２    ＣＰＵ
１３    記憶部
１４    受信部
１５    送信先決定部
１６    送信部
１７    ＨＥＭＳテーブル
２０    ＨＥＭＳコントローラ
２１    通信Ｉ／Ｆ部
２２    ＣＰＵ
２３    記憶部
２４    設定済設定値取得部
２５    設定値提供部
２６    設定対象設定値取得部
２７    設定値設定部
４０    ＩＲコントローラ
５０    機器
６０    端末装置
６１    通信Ｉ／Ｆ部
６２    ＣＰＵ
６３    記憶部
６４    タッチパネル
６５    設定値設定部
７０    トップ画面
７１    エアコンボタン
７２    照明機器ボタン
７３    テレビボタン
７４    設定画面ボタン
８０    エアコン操作画面
８１    電源状態設定領域
８２    モード設定領域
８３    温度設定領域
８４    設定ボタン
９０    照明機器操作画面
９１    電源状態設定領域
９２    明るさレベル設定領域
９３    設定ボタン
１００  テレビ操作画面
１０１  電源設定領域
１０２  明るさレベル設定領域
１０３  設定ボタン
１１０  設定画面
１１１  チェックボックス
１１２  設定ボタン
【図１】
2019062498.tif 000003
【図２】
2019062498.tif 000004
【図３】
2019062498.tif 000005
【図４】
2019062498.tif 000006
【図５】
2019062498.tif 000007
【図６】
2019062498.tif 000008
【図７】
2019062498.tif 000009
【図８】
2019062498.tif 000010
【図９】
2019062498.tif 000011
【図１０】
2019062498.tif 000012
【図１１】
2019062498.tif 000013
【図１２】
2019062498.tif 000014
【図１３】
2019062498.tif 000015
【図１４】
2019062498.tif 000016